(57)【要約】      （修正有）【課題】既存端末に追加が容易で、設置状況に応じて出力する内容を簡易に設定することができる音声合成出力装置および音声合成出力システムを提供する。【解決手段】音声合成出力装置２は、プロセスラインの情報を含むアラームメッセージ情報１１にもとづいて前記情報を画像表示し得るアラーム端末表示部４と、前記アラームメッセージ情報が着信した場合に前記アラームメッセージ情報を取得する監視部６と、前記アラームメッセージ情報に応じて処理内容を定義する定義情報９を参照して、前記アラームメッセージ情報が含む第１データと前記定義情報が含む第２データとが一致する場合に前記第２データに関連付けられた前記処理内容を選択し、前記第１データと前記第２データとが一致しない場合に待機するデータ処理部と、選択された前記処理内容に関するデータを出力データに変換する出力データ変換部（音声合成部）１０と、を備える。【選択図】図１
2019139561.tif 000002
【特許請求の範囲】
【請求項１】
プロセスラインの状況の情報を含むアラームメッセージ情報を入力し前記アラームメッセージ情報にもとづいて前記情報を画像表示することができるアラーム端末表示部と、
前記アラームメッセージ情報の着信を監視し、前記アラームメッセージ情報が着信した場合に前記アラームメッセージ情報を取得する監視部と、
前記アラームメッセージ情報に応じて処理の内容を定義する定義情報を参照して、前記アラームメッセージ情報が含む第１データと前記定義情報が含む第２データとが一致する場合に、前記第２データに関連付けられた前記処理の内容を選択し、前記第１データと前記第２データとが一致しない場合に、待機するデータ処理部と、
選択された前記処理の内容に関するデータを出力データに変換する出力データ変換部と、
を備えた音声合成出力装置。
【請求項２】
前記定義情報の前記処理の内容は、音声データを表すファイル名または任意の文字を含む第３データのうち少なくとも１つを含み、
前記出力データ変換部は、前記定義情報に前記ファイル名が設定されている場合には、前記ファイル名を有する音声データを音声信号に変換し、前記定義情報に前記第３データが設定されている場合には、前記第３データにあらかじめ関連付けられた処理を実行する請求項１記載の音声合成出力装置。
【請求項３】
前記処理の内容は、動画データの処理を含み、
前記出力データ変換部は、前記動画データを映像信号に変換する請求項２記載の音声合成出力装置。
【請求項４】
プロセスラインの状況の情報を含むアラームメッセージ情報を入力し前記アラームメッセージ情報にもとづいて前記情報を画像表示することができる第１アラーム端末表示部と、
前記アラームメッセージ情報の着信を監視し、前記アラームメッセージ情報が着信した場合に前記アラームメッセージ情報を取得する第１監視部と、
前記アラームメッセージ情報に応じて第１処理内容を定義する第１定義情報を参照して、前記アラームメッセージ情報が含む第１データと前記第１定義情報が含む第２データとが一致する場合に、前記第２データに関連付けられた前記第１処理内容を選択し、前記第１データと前記第２データとが一致しない場合に、待機するデータ処理部と、
選択された前記第１処理内容に関するデータを第１出力データに変換する第１出力データ変換部と、
を含む第１音声合成出力装置と、
前記アラームメッセージ情報を入力し前記アラームメッセージ情報にもとづいて前記情報を画像表示することができる第２アラーム端末表示部と、
前記アラームメッセージ情報の着信を監視し、前記アラームメッセージ情報が着信した場合に前記アラームメッセージ情報を取得する第２監視部と、
前記アラームメッセージ情報に応じて第２処理内容を定義する第２定義情報を参照して、前記アラームメッセージ情報が含む第３データと前記第２定義情報が含む第４データとが一致する場合に、前記第４データに関連付けられた前記第２処理内容を選択し、前記第３データと前記第４データとが一致しない場合に、待機する第２データ処理部と、
選択された前記第２処理内容に関するデータを第２出力データに変換する第２出力データ変換部と、
を含む第２音声合成出力装置と、
を備えた音声合成出力システム。
【請求項５】
前記第１定義情報および前記第２定義情報は、前記第１音声合成出力装置および前記第２音声合成出力装置が設置された状況に応じて、異なる前記第１処理内容のデータおよび前記第２処理内容のデータをそれぞれ含む請求項４記載の音声合成出力システム。
【発明の詳細な説明】
【技術分野】
【０００１】
本発明の実施形態は、アラーム通知機器が配信するアラームメッセージ情報を用いて音声メッセージを出力する音声合成出力装置および音声合成出力システムに関する。
【背景技術】
【０００２】
操業中の鉄鋼等のプラントでは、作業者等に注意喚起すべき状況や、機器や工程中に異常が発生した際には、監視用端末にその情報をテキスト形式で表示することが行われている。このような情報表示に加えて、音声合成専用端末を別途用意して、情報を音声出力することによって、より広範に情報を伝達することも行われている。
【０００３】
たとえば、下記特許文献１には、プラントの計算機システムにおいて、計算機の制御または管理の状況に応じて変化する値や状況と固定メッセージとを組み合わせて、音声合成専用端末にて音声出力する方法が提案されている。
【先行技術文献】
【特許文献】
【０００４】
【特許文献１】特開平８−１１０７９５号公報
【発明の概要】
【発明が解決しようとする課題】
【０００５】
文献１に開示された装置は、音声合成出力専用の端末を別途用意して設置する必要があり、既存の稼働中のシステムへ後付けすることが難しい場合が多い。また、音声合成出力専用端末を用いる場合には、端末が設置されている状況に応じて音声出力する内容を設定して制御することはさらに困難な場合が多い。
【０００６】
この発明の実施形態は、上記のような課題を解決するためになされたものであり、既存の監視用端末に容易に追加することができ、端末の設置状況に応じて、出力する内容を簡易に設定することができる音声合成出力装置および音声合成出力システムを提供する。
【課題を解決するための手段】
【０００７】
実施形態に係る音声合成出力装置は、プロセスラインの状況の情報を含むアラームメッセージ情報を入力し前記アラームメッセージ情報にもとづいて前記情報を画像表示することができるアラーム端末表示部と、前記アラームメッセージ情報の着信を監視し、前記アラームメッセージ情報が着信した場合に前記アラームメッセージ情報を取得する監視部と、前記アラームメッセージ情報に応じて処理の内容を定義する定義情報を参照して、前記アラームメッセージ情報が含む第１データと前記定義情報が含む第２データとが一致する場合に、前記第２データに関連付けられた前記処理の内容を選択し、前記第１データと前記第２データとが一致しない場合に、待機するデータ処理部と、選択された前記処理の内容に関するデータを出力データに変換する出力データ変換部と、を備える。
【発明の効果】
【０００８】
本実施形態では、監視部およびデータ処理部を備えるので、アラームメッセージ端末部に容易に追加することができ、端末の設置状況に応じて、アラームメッセージ情報の情報を選択的に出力することができる。
【図面の簡単な説明】
【０００９】
【図１】第１の実施形態に係る音声合成出力装置を例示するブロック図である。
【図２】第２の実施形態に係る音声合成出力システムを例示するブロック図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
（第１の実施形態）
図１は、本実施形態に係る音声合成出力装置を例示するブロック図である。
図１に示すように、本実施形態の音声合成出力装置２は、通信ネットワーク２０を介して、アラーム通知機器１に接続される。アラーム通知機器１は、たとえば制御ネットワークを用いたプロセス制御システムに用いられるゲートウェイサーバ等である。アラーム通知機器１は、制御ネットワーク（図示せず）に接続された機器や装置等の動作状況や各工程の状況を監視し、状況に応じたアラームメッセージ情報１１を生成する。アラーム通知機器１は、生成したアラームメッセージ情報１１を通信ネットワーク２０を介して、音声合成出力装置２に配信する。
【００１２】
通信ネットワーク２０は、イーサネット（登録商標）等の汎用ネットワークである。この例では、所定の通信プロトコルを有する通信ネットワークによって、アラーム通知機器１と音声合成出力装置２とを接続するが、他の任意の接続手段によって、これらの間を接続してもよい。たとえば、ハードワイヤによりこれらの間を接続して、特定の形式の電気信号を伝送するようにしてもよい。
【００１３】
アラームメッセージ情報１１は、テキストデータを含む。テキストデータは、アラームのグループ名称とアラーム番号とを含む。グループ名称は、アラーム通知機器１が生成するアラームのレベルを表している。アラームのレベルとは、アラームの深刻度を意味する。たとえば、グループ名称は、“ＩＮＦ”、“ＷＡＲ”、および“ＥＲＲ”であり、“ＩＮＦ”、“ＷＡＲ”、“ＥＲＲ”の順に深刻なアラームであることを表す。たとえば、“ＩＮＦ”は、工程の状況等を知らせる程度の深刻度である。“ＷＡＲ”は、工程の状態が通常状態とは相違する等の深刻度であり、オペレータの操作や確認を必要とする場合等に用いられる。“ＥＲＲ”は、工程が設定された条件から逸脱した場合等に生成され、機器等の停止をともなう場合もある。なお、これらのグループ名称とその内容は、一例であり、プラントの状況等に応じて適切なものを任意に設定することができる。
【００１４】
アラーム番号は、たとえば一連番号が設定される。アラーム番号は、音声合成出力装置２における処理の内容と１対１に対応するように設定されている。
【００１５】
アラームメッセージ情報１１には、上述のほか、任意のテキストデータが含まれてもよい。任意のテキストデータは、アラームの内容に応じてアラーム通知機器１によって生成される。
【００１６】
音声合成出力装置２は、アラーム端末表示部４と、音声合成出力部５と、を備える。アラーム端末表示部４は、通信ネットワーク２０に接続されており、アラームメッセージ情報１１を受信する。アラーム端末表示部４は、アラームメッセージ情報１１のデータにもとづいて、表示可能なデータを画面出力することができる。表示可能なデータは、アラームメッセージ情報１１に含まれるテキストデータである。グループ名称に応じて設定されたチャイムを再生した後、アラームメッセージの音声を再生するようなことも可能である。
【００１７】
音声合成出力装置２は、たとえばＨＭＩ端末である。ＨＭＩ端末とは、プロセス制御を行う機器や装置、あるいは各工程の処理を設定したり、状況を監視したり等するヒューマンマシンインタフェースを提供する。このヒューマンマシンインタフェース機能は、たとえばソフトウェア（プログラム）で実現される。ＨＭＩ端末は、実質的には、ＨＭＩ用のプログラムがインストールされたコンピュータ端末である。ＨＭＩ端末を実現するコンピュータ端末は、パーソナルコンピュータであってもよいし、サーバ等であってもよい。
【００１８】
上述したアラーム端末表示部４および画面出力、ならびに、以下で説明する各部は、ＨＭＩ端末を構成するコンピュータ端末のＣＰＵ等の動作によって実行するプログラムの１つまたは複数のステップによって実現される。
【００１９】
たとえば、実施形態の音声合成出力装置２は、アラーム端末表示部４および画面出力の機能を実現するプログラムがすでにインストールされたＨＭＩ端末に、音声合成出力部５の機能を実現するプログラムを追加導入することによって、実現される。つまり、音声合成出力装置２は、音声合成出力のための機能を実現するプログラムを追加導入し、たとえば、既存のアラームメッセージ情報を表示するＨＭＩ端末をアップグレードすることによって、実現される。
【００２０】
音声合成出力部５は、監視部６と、データ処理部７と、固定音声格納部８と、定義情報９と、音声合成部１０と、を含む。
【００２１】
監視部６は、通信ネットワーク２０に接続されている。監視部６は、通信ネットワーク２０上を伝送するアラームメッセージ情報１１を常時監視している。アラームメッセージ情報１１が伝送されアラーム端末表示部４がこれを受信すると、監視部６は、アラームメッセージ情報１１を傍受するようにして取得する。監視部６は、受信したアラームメッセージ情報１１をデータ処理部７に供給する。
【００２２】
データ処理部７は、監視部６からアラームメッセージ情報１１を受け取った後に、定義情報９を参照して、処理の内容を決定する。
【００２３】
定義情報９には、アラーム番号と処理の内容とが設定されている。アラーム番号は、アラームメッセージ情報１１に含まれている番号である。処理の内容として、ファイル名が設定されている場合には、データ処理部７は、固定音声格納部８を参照する。データ処理部７は、固定音声格納部８に設定されているファイル名のファイルが存在する場合には、そのファイルを選択して、音声合成部（出力データ変換部）１０に供給する。データ処理部７は、固定音声格納部８に、設定されているファイル名のファイルが存在しない場合には、固定音声格納部８を参照しない。
【００２４】
定義情報９の処理の内容として、任意のテキストデータが設定されている場合には、データ処理部７は、そのテキストデータに関して定義されている処理を実行する。
【００２５】
具体的には、任意のテキストデータは、たとえば“スペース”（１文字分の空白データ）である。処理の内容に“スペース”が設定されている場合には、データ処理部７は、固定音声格納部８を参照せずに、アラームメッセージ情報１１に含まれるテキストデータを選択して、音声合成部１０に供給する。処理の内容に“＠”が設定されている場合には、データ処理部７は、音声合成出力装置２のＯＳ（オペレーティングシステム）のうち、あらかじめ設定された音声データファイルを選択し、そのファイルを音声合成部１０に供給する。これらテキストデータの割り当ては、任意に行うことができ、あらかじめ設定される。
【００２６】
処理の内容には、単一の音声ファイルや単一のテキストデータである必要はなく、複数の音声ファイルを設定してもよいし、複数のテキストデータを設定してもよいし、音声ファイルおよびテキストデータの両方をそれぞれ１つから複数設定してもよい。データ処理部７は、処理の内容に複数のファイル等が設定されている場合には、設定されている処理の内容をその順番に順次判定し、実行する。
【００２７】
定義情報９の設定は、端末ごとに行うことができる。一方、定義情報９の処理の内容におけるテキストデータと処理の内容の割り当ては、端末に共通で設定される。
【００２８】
音声合成部１０は、データ処理部７から供給されたデータを音声信号に変換して増幅等適切の処理を施して、音声出力装置３０に変換したデータ（信号）を供給する。音声出力装置３０は、たとえばスピーカやヘッドフォン等である。
【００２９】
音声合成部１０に代えて、あるいは音声合成部１０とともに、動画処理再生部を設けることによって、定義情報に動画ファイルを設定した場合には、動画ファイルのデータに対応する動画を再生するようにすることもできる。
【００３０】
本実施形態の音声合成出力装置２の動作について説明する。
本実施形態の音声合成出力装置２は、アラーム通知機器１から供給されたアラームメッセージ情報１１を受信する。
【００３１】
アラームメッセージ情報１１は、アラーム端末表示部４に入力される。
【００３２】
アラームメッセージ情報１１がテキストデータを含んでいる場合には、アラーム端末表示部４は、そのテキストデータを画面出力する。アラームメッセージ情報１１のデータは、たとえば、“グループ名称”＿“アラーム番号”＿“処理の内容”＿（以下では、「＿」はテキスト１文字分のスペースを表すものとする。）のように構成されている。たとえば、グループ名称に応じて設定されたチャイムを再生した後、アラームメッセージの音声を再生するようにしてもよい。
【００３３】
監視部６は、アラームメッセージ情報１１がアラーム端末表示部４に受信されたことを検出する。監視部６は、アラームメッセージ情報１１を受信して、データ処理部７に供給する。
【００３４】
データ処理部７は、アラームメッセージ情報１１のアラーム番号を取得し、定義情報９を参照する。アラームメッセージ情報１１が、ＩＮＦ＿１２３４＿“ドアがあいています”＿に設定されている場合には、データ処理部７は、処理内容の「１２３４」が定義情報９に存在するか否かをチェックする。
【００３５】
定義情報９に「１２３４＿固定音声ファイル０１．ｗａｖ」のように設定されている場合には、データ処理部７は、固定音声格納部８に「固定音声ファイル０１．ｗａｖ」なるファイルが存在するか否かをチェックする。固定音声格納部８に「固定音声ファイル０１．ｗａｖ」なるファイルが存在する場合には、データ処理部７は、そのファイル（のコピー）を音声合成部１０に供給する。音声合成部１０は、「固定音声ファイル０１．ｗａｖ」を実行する。
【００３６】
固定音声格納部８に「固定音声ファイル０１．ｗａｖ」なるファイルが存在しない場合には、データ処理部７は何もせず待機する。
【００３７】
定義情報９に、「１２３４＿＿＿」）のように設定されている場合には、データ処理部７は、アラームメッセージ情報１１の“ドアがあいています”とのテキストデータを読み込んで、音声合成部１０に供給する。つまり、データ処理部７は、定義情報９において処理の内容に“＿”が設定されている場合には、アラームメッセージ情報１１のテキストデータを処理の内容であると判断する。
【００３８】
音声合成部１０は、“ドアがあいています”とのテキストデータを音声合成し、音声データにして出力する。
【００３９】
定義情報９は、その定義情報９を有する音声合成出力装置２の設置状況に応じたデータを設定することができる。たとえば、その音声合成出力装置２が粗圧延機に関する監視を行う場合にあっては、監視すべき粗圧延機に関するデータを定義情報９に設定すればよい。一方、アラーム通知機器１は、粗圧延機を監視する音声合成出力装置２に対するアラームメッセージ情報１１に限らず、他の装置に対する任意のメッセージを生成して送信することができる。
【００４０】
本実施形態の音声合成出力装置２の効果について説明する。
本実施形態の音声合成出力装置２は、音声合成出力部５を備えている。そして、音声合成出力部５は、監視部６を含む。監視部６は、アラーム端末表示部４に伝送されるアラームメッセージ情報１１を常時監視しており、アラームメッセージ情報１１が伝送された場合に、アラームメッセージ情報１１をアラーム端末表示部４から傍受するようにして取得する。音声合成出力部５は、たとえばプログラムモジュールであり、そのため、音声合成出力部５を既存のアラーム端末表示をする装置に、容易に導入することができる。つまり、アラーム通知機器１からのアラームメッセージ情報１１の受信端子を別途用意したり、アラームメッセージ情報１１を受信するための専用端末を別途用意することなく、既存のＨＭＩ端末をアップグレードすることによって実現することができる。
【００４１】
音声合成出力部５は、定義情報９を参照するデータ処理部７を含む。データ処理部７は、アラームメッセージ情報１１に含まれる処理内容を表すデータに応じて、定義情報９を参照する。定義情報９は、任意に設定することができるので、音声合成出力装置２が設置される状況に応じた音声出力をすることができる。
【００４２】
（第２の実施形態）
図２は、本実施形態に係る音声合成出力システムを例示するブロック図である。
本実施形態では、複数の音声合成出力装置が少なくとも１つのアラーム通知機器からアラームメッセージ情報１１が伝送される。
図２に示すように、音声合成出力システム１００は、アラーム通知機器１と、複数の音声合成出力装置２ａ，２ｂ，２ｃと、を備える。アラーム通知機器１および複数の音声合成出力装置２ａ，２ｂ，２ｃは、通信ネットワーク２０によって接続されている。
【００４３】
音声合成出力装置２ａ〜２ｃは、音声合成出力部５ａ〜５ｃをそれぞれ含む。音声合成出力部５ａ〜５ｃは、定義情報９ａ〜９ｃをそれぞれ含む。音声合成出力装置２ａ〜２ｃ、音声合成出力部５ａ〜５ｃ、および定義情報９ａ〜９ｃは、上述した他の実施形態の場合の音声合成出力装置２、音声合成出力部５、および定義情報９と同じものである。ただし、定義情報９ａ〜９ｃは、音声合成出力装置２ａ〜２ｃに応じてそれぞれ異なったデータが定義され得る。他の構成要素は、上述の他の実施形態の場合と同一なので、説明を省略する。
【００４４】
この例では、音声合成出力装置２ｃには、音声出力装置３０の代わりに、音声信号増幅器１３０が接続されており、音声信号増幅器１３０は、スピーカ１３２を駆動する。たとえば、音声信号増幅器１３０によって駆動されるスピーカ１３２は、プラントの現場に設置される。音声合成出力装置２ｃは、音声合成出力を、プラントで作業する作業者全員に音声が聞こえる程度の音量に増幅して出力する。
【００４５】
音声合成出力装置２ａ〜２ｃは、それぞれ異なるデータを含む定義情報９ａ〜９ｃを含む。音声合成出力部５ａ〜５ｃは、定義情報９ａ〜９ｃのそれぞれに応じた処理を選択することができる。
【００４６】
たとえば、音声合成出力装置２ａは、圧延工程中の加熱炉を監視するオペレータによって操作されるＨＭＩ端末である。音声合成出力装置２ａは、加熱炉に関するデータを音声出力して、操作するオペレータに知らせる。音声合成出力装置２ｂは、粗圧延機を監視するオペレータによって操作されるＨＭＩ端末である。音声合成出力装置２ｂは、粗圧延機に関するデータを音声出力して、操作を担当するオペレータに知らせる。音声合成出力装置２ｃは、仕上圧延機を監視するオペレータによって操作されるＨＭＩ端末である。音声合成出力装置２ｃは、仕上圧延機に関するデータを音声出力して、操作を担当するオペレータに知らせるとともに、現場の作業員全員に知らせる等である。
【００４７】
音声合成出力装置２ａ〜２ｃの定義情報９ａ〜９ｃにかかわらず、アラーム通知機器１は、すべての音声合成出力装置２ａ〜２ｃに同一のアラームメッセージ情報１１を送信する。アラームメッセージ情報１１を受信した音声合成出力装置２ａ〜２ｃは、それぞれの定義情報９ａ〜９ｃにもとづいて、アラームメッセージ情報１１を解釈し、適切な音声合成処理を行い、音声を出力する。
【００４８】
なお、各音声合成出力装置２ａ〜２ｃの役割は、一例であり、上述の例に限られないことはいうまでもない。
【００４９】
このように、本実施形態の音声合成出力システム１００では、同一の音声合成出力部５ａ〜５ｃに異なる定義情報９ａ〜９ｃを設定することによって、音声合成出力装置２ａ〜２ｃの他の構成を変えることなく、音声合成出力装置２ａ〜２ｃの役割を変えることができる。したがって、プラントの各工程や監視内容に応じて、容易に異なる音声合成出力装置２ａ〜２ｃを実現させることができる。
【００５０】
以上説明した実施形態によれば、既存の監視用端末に容易に追加することができ、端末の設置状況に応じて、出力する内容を簡易に設定することができる音声合成出力装置および音声合成出力システムを実現することができる。
【００５１】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００５２】
１  アラーム通知機器、２，２ａ，２ｂ，２ｃ  音声合成出力装置、４  アラーム端末表示部、５，５ａ，５ｂ，５ｃ  音声合成出力部、６  監視部、７  データ処理部、８  固定音声格納部、９，９ａ，９ｂ，９ｃ  定義情報、１０  音声合成部、１１  アラームメッセージ情報、２０  通信ネットワーク、３０  音声出力装置、１３０  音声信号増幅器、１３２  スピーカ
【図１】
2019139561.tif 000003
【図２】
2019139561.tif 000004